(57)【要約】  回転駆動部（２）と、回転駆動部（２）によって水平方向に延びる軸線まわりに回転される駆動軸（３）と、駆動軸（３）に固定された大歯車（４）と、駆動軸（３）を回転可能に支持し、潤滑油が供給されている軸受部（１５）と、大歯車（４）と噛み合って従動する複数のピニオン（６）と、複数のピニオン（６）に対応するように設けられて、ピニオン（６）によってそれぞれ回転する複数の圧縮部（１１，１２，１３）と、軸受部（１５）と大歯車（４）との間に配置されて、大歯車（４）と軸受部（１５）とを隔離するように大歯車（４）の下半分の少なくとも一部の領域を覆うプレート（２８）と、を備えることを特徴とする回転機械（１）。
2015033438.tif 000002
【特許請求の範囲】
【請求項１】
回転駆動部と、
前記回転駆動部によって水平方向に延びる軸線まわりに回転される駆動軸と、
前記駆動軸に固定された大歯車と、
前記駆動軸を回転可能に支持し、潤滑油が供給されている軸受部と、
前記大歯車と噛み合って従動する複数のピニオンと、
前記複数のピニオンに対応するように設けられて、前記ピニオンによってそれぞれ回転する複数の圧縮部と、
前記軸受部と前記大歯車との間に配置されて、前記大歯車と前記軸受部とを隔離するように前記大歯車の下半分の少なくとも一部の領域を覆うプレートと、を備えることを特徴とする回転機械。
【請求項２】
前記プレートの下端は前記大歯車の下端よりも下方に延びていることを特徴とする請求項１に記載の回転機械。
【請求項３】
前記軸受部の上半部と前記大歯車との間に配置されて、前記大歯車と前記軸受部とを隔離する第二プレートを備えることを特徴とする請求項１又は請求項２に記載の回転機械。
【請求項４】
前記ピニオンが固定された従動軸を回転可能に支持する従動軸用軸受部と、
前記従動軸用軸受部の下半部と前記大歯車との間に配置されて、前記大歯車と前記従動軸用軸受部とを隔離する第三プレートと、備えることを特徴とする請求項１から請求項３のいずれか一項に記載の回転機械。
【請求項５】
前記軸受部を支持するケーシングを備え、
前記ケーシングには、前記軸受部から前記軸受部の軸方向他方側に排出される排油を前記プレートが配置されている前記軸受部の軸方向一方側に導く油溝が形成されていることを特徴とする請求項１から請求項４のいずれか一項に記載の回転機械。
【発明の詳細な説明】
【技術分野】
【０００１】
本発明は、回転機械に係り、特に大歯車と、この大歯車と噛み合って従動する複数のピニオン歯車と、を有する回転機械に関する。
【背景技術】
【０００２】
回転機械である遠心圧縮機は、回転するインペラの半径方向に気体を通り抜けさせ、その際に発生する遠心力を利用して気体を圧縮するものであり、例えば、石油化学や天然ガスや空気分離のプラントに用いられている。【０００３】
遠心圧縮機としては、気体を圧縮するインペラを一本の軸に取り付ける構造の一軸多段型遠心圧縮機と、複数の従動軸の軸端にインペラを取り付ける構造の増速機内蔵型遠心圧縮機（以下、ギアド圧縮機と称する）が知られている。ギアド圧縮機は、複数の従動軸の軸端にインペラを備えた複数の圧縮部によって気体を圧縮する形態のものが知られている。【０００４】
特許文献１には、駆動軸に取り付けられた大歯車の上方にピニオン歯車を配置したギアド圧縮機が記載されている。このギアド圧縮機は、ピニオン歯車の軸受から排出される排油が大歯車に降りかかるのを防止するために、上方に配置されたピニオン歯車に対応する軸受の両側にカバーが設けられている。
【先行技術文献】
【特許文献】
【０００５】
【特許文献１】日本国特許第３７３５１４７号公報
【発明の概要】
【発明が解決しようとする課題】
【０００６】
ところで、ギアド圧縮機などの回転機械においては様々な損失低減が図られている。
損失低減に関する検討の過程において発明者らは、大歯車とピニオン歯車とから構成されている歯車列を有する回転機械において、駆動軸の軸受から排出される排油の大歯車への付着が予想外の損失を生む要因であることを見出した。
即ち、大歯車が取り付けられている駆動軸の軸受から排出される排油が回転する大歯車の側面に付着することにより、大歯車が回転する際に動力損失が生じることがわかった。特に、動力の大きな回転機械の場合この損失は無視できないものとなるが、定量的に見積もることが難しく、想定する以上の損失を生む可能性があることがわかった。【０００７】
特許文献１に記載のギアド圧縮機の場合、大歯車の上半部に排油が付着することは回避されるが、大歯車の下半部への付着を防止することができず、大歯車の下半部に付着する排油が動力損失の原因となっていた。【０００８】
本発明は、大歯車が回転する際の動力損失を低減することで、必要動力を小さくすることができる回転機械を提供する。
【課題を解決するための手段】
【０００９】
本発明の回転機械は、回転駆動部と、前記回転駆動部によって水平方向に延びる軸線まわりに回転される駆動軸と、前記駆動軸に固定された大歯車と、前記駆動軸を回転可能に支持し、潤滑油が供給されている軸受部と、前記大歯車と噛み合って従動する複数のピニオンと、前記複数のピニオンに対応するように設けられて、前記ピニオンによってそれぞれ回転する複数の圧縮部と、前記軸受部と前記大歯車との間に配置されて、前記大歯車と前記軸受部とを隔離するように前記大歯車の下半分の少なくとも一部の領域を覆うプレートと、を備える。【００１０】
上記構成によれば、プレートによって軸受部から排出される排油が大歯車の下半部に降りかかって付着することが防止される。これにより、大歯車に排油が付着することによる、大歯車が回転する際の動力損失を低減することができる。【００１１】
上記回転機械において、前記プレートの下端は前記大歯車の下端よりも下方に延びていることが好ましい。
上記構成によれば、排油の大歯車への付着をより防止することができる。【００１２】
上記回転機械において、前記軸受部の上半部と前記大歯車との間に配置されて、前記大歯車と前記軸受部とを隔離する第二プレートを備える構成としてもよい。
上記構成によれば、第二プレートによって、軸受部から上方に排出される排油が大歯車に付着することを防止することができる。【００１３】
上記回転機械において、前記ピニオンが固定された従動軸を回転可能に支持する従動軸用軸受部と、前記従動軸用軸受部の下半部と前記大歯車との間に配置されて、前記大歯車と前記従動軸用軸受部とを隔離する第三プレートと、備える構成としてもよい。【００１４】
上記構成によれば、第三プレートによって、従動軸用軸受部から排出される排油が大歯車に付着することを防止することができる。【００１５】
上記回転機械において、前記軸受部を支持するケーシングを備え、前記ケーシングには、前記軸受部から前記軸受部の軸方向他方側に排出される排油を前記プレートが配置されている前記軸受部の軸方向一方側に導く油溝が形成されている構成としてもよい。
【発明の効果】
【００１６】
本発明によれば、プレートによって軸受部から排出される排油が大歯車の下半部に降りかかって付着することが防止される。これにより、大歯車に排油が付着することによる、大歯車が回転する際の動力損失を低減することができる。
【図面の簡単な説明】
【００１７】
【図１】本発明の実施形態のギアド圧縮機の平面図である。
【図２】図１のＡ−Ａ断面図であり、ギアド圧縮機のバッフルプレートの配置を説明する図である。
【図３】図２のＢ−Ｂ断面図であって、第一バッフルプレート及び第二バッフルプレートの配置を説明する図である。
【図４】図２のＣ−Ｃ断面図であって第三バッフルプレートの配置を説明する図である。
【図５】本発明の実施形態の油切りを軸方向から見た正面図である。
【図６】本発明の実施形態の油切りの断面図である。
【発明を実施するための形態】
【００１８】
以下、本発明の実施形態について図面を参照して詳細に説明する。
本発明の実施形態の回転機械であるギアド圧縮機（ギアドコンプレッサ）は、内部に歯車列を有しており、複数のインペラを駆動する多軸多段の構成となっている。
【００１９】
図１に示すように、ギアド圧縮機１は、動力を発生させる回転駆動部２と、回転駆動部２によって水平方向に延びる軸線まわりに回転駆動される回転軸である駆動軸３と、駆動軸３に固定された大歯車４と、大歯車４と噛み合って従動する２つのピニオン歯車６と、各々のピニオン歯車６の軸となる２本の従動軸５と、従動軸５に伝達された動力により駆動する３つの圧縮部１１，１２，１３と、を有している。
回転駆動部２としては、例えば電動モータなどの電動機を採用することができる。大歯車４及びピニオン歯車６は、駆動軸３の回転を増速する増速機として機能する歯車列である。
【００２０】
２つのピニオン歯車６は大歯車４の回転に伴って回転する。２つのピニオン歯車６は、低圧段ピニオン歯車６ａと、低圧段ピニオン歯車６ａよりも小さい高圧段ピニオン歯車６ｂとから構成されている。従って、高圧段ピニオン歯車６ｂは低圧段ピニオン歯車６ａよりも高い回転速度で回転する。
【００２１】
２本の従動軸５は、低圧段ピニオン歯車６ａの中心軸方向両側に延びる低圧段従動軸５ａと、高圧段ピニオン歯車６ｂの中心軸方向両側に延びる高圧段従動軸５ｂとから構成されている。
３つの圧縮部１１，１２，１３は、ピニオン歯車６に対応するように設けられており、低圧段従動軸５ａの前端であって回転駆動部２が設けられた側と反対側に設けられた第一段圧縮部１１と、高圧段従動軸５ｂの後端に設けられた第二段圧縮部１２と、高圧段従動軸５ｂの前端に設けられた第一段圧縮部１１とから構成されている。低圧段従動軸５ａの他端には、つり合い重り７が取り付けられている。
以下の説明においては、駆動軸３及び従動軸５の軸方向を単に軸方向と呼び、軸方向における回転駆動部２が設けられている側と（図１の上方）を後方、軸方向における回転駆動部２が設けられている側と反対側（図１の下方）を前方と呼ぶ。
【００２２】
第一段圧縮部１１、第二段圧縮部１２、及び第三段圧縮部１３は、それぞれインペラ１４と、インペラ１４を覆い、ガス導入部とガス排出口を有するスクロールケーシング（図示せず）と、を有している。
【００２３】
第一段圧縮部１１、第二段圧縮部１２、及び第三段圧縮部１３は、それぞれインペラ１４を用いて作動流体を圧縮している。インペラ１４は、ガス導入部より吸入された作動流体を、その内部に形成された流路を介して径方向外周側に向かって放出するものである。第一段圧縮部１１、第二段圧縮部１２、及び第三段圧縮部１３は、配管８を介して接続されている。
【００２４】
大歯車４と、複数のピニオン歯車６からなる歯車列は、ギアケーシング９の内部に収められており、駆動軸３、低圧段従動軸５ａ、及び高圧段従動軸５ｂは、ギアケーシング９に軸受１５，１６を介して回転可能に支持されている。軸受１５，１６は、大歯車４の軸方向前方側及び軸方向後方側に配置された駆動軸用軸受１５と、ピニオン歯車６の軸方向前方側及び軸方向後方側に配置された従動軸用軸受１６とから構成されている。
【００２５】
軸受１５，１６は、駆動軸３及び従動軸５を支持する複数の軸受パッド１７（図３、図４を参照）を有するジャーナル軸受（ラジアル軸受）である。軸受１５，１６は、軸と軸受パッド１７との間に潤滑油を供給する給油ノズル（図示せず）を有している。潤滑油としての機能を終えた排油は、軸受パッド１７の軸方向両側から排出される。
【００２６】
図２に示すように、ギアケーシング９は、上方が開口した下部ケーシング１９と、下部ケーシング１９の上方を覆う上部ケーシング２０と、を有している。下部ケーシング１９には、開口部から水平方向に張り出す形状のフランジ部２１が形成されている。
ギアケーシング９は、複数の軸受固定部２３，２４を有している。軸受固定部２３，２４は、駆動軸用軸受１５を固定する第一軸受固定部２３と、従動軸用軸受１６を固定する第二軸受固定部２４と、から構成されている。
【００２７】
軸受固定部２３，２４は、下部ケーシング１９のフランジ部２１に一体に形成されている軸受固定部下半部２３ａ，２４ａと、軸受固定部下半部２３ａ，２４ａの上部にボルト等の締結部材を用いて取り付けられる軸受固定部上半部２３ｂ，２４ｂとから構成されている。軸受固定部上半部２３ｂ，２４ｂを、上部ケーシング２０と一体とする構成としてもよい。
【００２８】
軸受１５，１６は、軸受固定部上半部２３ｂ，２４ｂと軸受固定部下半部２３ａ，２４ａとの間に組み込まれることでギアケーシング９のフランジ部２１に固定される。下部ケーシング１９の軸受固定部下半部２３ａ，２４ａには、軸受１５，１６からの排油の流出路となる油溝２７が形成されている。
【００２９】
ここで、図３を参照して、油溝２７の構造について説明する。油溝２７は、大歯車４とは反対側（軸方向他方側）に排出される排油を、大歯車４の側（軸方向一方側）に導くように形成されている。具体的には、油溝２７は、軸受固定部下半部２３ａの上面であって大歯車４と反対側の上面と、軸受固定部下半部２３ａの側面であって大歯車４の側の側面とを連通させるように形成されている。
【００３０】
本実施形態のギアド圧縮機１には、軸受１５，１６から排出される排油が、大歯車４に付着するのを防止するための複数のバッフルプレート２８，３０，３１が設置されている。バッフルプレート２８，３０，３１は、例えば、ＳＵＳ３０４などの鋼板を板金加工することによって形成されている。
複数のバッフルプレートのうち、第一バッフルプレート２８は、駆動軸用軸受１５と大歯車４とを隔離するように、駆動軸用軸受１５と大歯車４との間であって、大歯車４の軸方向の両側に配置されている。
【００３１】
第一バッフルプレート２８は、大歯車４の下半分の少なくとも一部の領域を覆う矩形形状の板部材であり、軸方向と直交する水平方向の幅寸法Ｗ（図２参照）が駆動軸用軸受１５の直径よりも十分に大きく、軸方向から見て油溝２７の出口部を十分に覆う寸法とされている。第一バッフルプレート２８は、上端が駆動軸３の軸中心と同じ位置とされ、下端が大歯車４の下端よりもやや下方の位置とされている。
【００３２】
図３に示すように、第一バッフルプレート２８は、両側に設けられた折曲部２９を介して、下部ケーシング１９の内面に対して所定寸法Ｇ１を開けて離間するように、下部ケーシング１９の内面に固定されている。また、第一バッフルプレート２８の上部には、駆動軸３及び駆動軸用軸受１５との干渉を避けるために、半円形の切欠が形成されている。
【００３３】
第二バッフルプレート３０は、駆動軸用軸受１５の上半部と大歯車４との間に、駆動軸用軸受１５と大歯車４とを隔離するように配置されている。第二バッフルプレート３０は、駆動軸用軸受１５を固定する軸受固定部上半部２３ｂに取り付けられている。
第二バッフルプレート３０は、大歯車４の軸方向前方側のものと、大歯車４の軸方向後方側のものとでは異なる形状とされている。軸方向前方側の第二バッフルプレート３０は、大歯車４のボス部４ａを避けるように、軸受固定部上半部２３ｂより上方に折り曲げられている。軸方向後方側の第二バッフルプレート３０は、軸受固定部上半部２３ｂの上端より下方に折り曲げられている。
【００３４】
第三バッフルプレート３１は、従動軸用軸受１６の下半部と大歯車４との間に、従動軸用軸受１６と大歯車４とを隔離するように配置されている。図４に示すように、第三バッフルプレート３１は、従動軸用軸受１６を固定する軸受固定部下半部２４ａに取り付けられている。第三バッフルプレート３１の主面は、下部ケーシング１９の内面に対して所定寸法Ｇ２を開けて離間するように、従動軸用軸受１６を固定する軸受固定部下半部２４ａに固定されている。
【００３５】
図５及び図６に示すように、従動軸用軸受１６には、従動軸５軸受から排出される排油の飛び散りを防止する油切り３３が取り付けられている。油切り３３は、下部を切り欠いて排出口とした切欠リング３４と円板状のカバー３５とから構成され、ボルトなどの締結手段によって従動軸用軸受１６の軸方向の両側に取り付けられている。
【００３６】
次に、本実施形態のギアド圧縮機１の作用について説明する。
圧縮すべき作動流体は、第一段圧縮部１１、第二段圧縮部１２、第三段圧縮部１３の順に導入されて圧縮される。作動流体は、第三段圧縮部１３において圧縮された後、圧縮された作動流体の需要先である所定のプラントＰに供給される。
【００３７】
図３に示すように、駆動軸用軸受１５から排出される排油であって、大歯車４の側に排出される排油は、第一バッフルプレート２８に当たった後、ギアケーシング９と第一バッフルプレート２８との囲まれた部分を経由して下方に流れる。駆動軸用軸受１５から排出される排油であって、大歯車４とは反対の側に排出される排油は、油溝２７を経由して第一バッフルプレート２８の中に流入し、第一バッフルプレート２８との囲まれた部分を経由して下方に流れる。
【００３８】
また、駆動軸用軸受１５から排出される排油であって、上方に飛び散るように排出される排油は、第二バッフルプレート３０に当たって、第二バッフルプレート３０より上方に飛び散ることはない。
図５及び図６に示すように、従動軸用軸受１６から排出される排油は、油切り３３の切欠リング３４とカバー３５によって囲まれた空間の中に排出され、切欠リング３４の下部の排出口から下方へ排出される。図４に示すように、油溝２７を経由して排出される排油であって、大歯車４の側に排出される排油は、第三バッフルプレート３１に当たった後、下方へ流れる。
【００３９】
上記実施形態によれば、第一バッフルプレート２８によって駆動軸用軸受１５から排出される排油が大歯車４の下半部に降りかかって付着することが防止される。これにより、大歯車４に排油が付着することによる、大歯車４が回転する際の動力損失を低減することができ、回転駆動部２による必要動力が小さいギアド圧縮機１を提供することができる。
また、第一バッフルプレート２８の下端が大歯車４の下端よりも下方に延びていることによって、排油の大歯車４への付着をより防止することができる。
【００４０】
また、第二バッフルプレート３０が駆動軸用軸受１５の上半部と大歯車４との間に配置されていることによって、駆動軸用軸受１５から上方に排出される排油が大歯車４に付着することを防止することができる。
【００４１】
また、第三バッフルプレート３１が、従動軸用軸受１６部の下半部と大歯車４との間に配置されていることによって、従動軸用軸受１６から排出される排油が大歯車４に付着することを防止することができる。
【００４２】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、クレームの範囲によってのみ限定される。
【００４３】
なお、上記実施形態では、バッフルプレートをギアド圧縮機に適用する例を用いて説明したが、バッフルプレートは、大歯車とピニオン歯車とからなる歯車列を備えた回転機械であれば適用が可能であり、例えばタービンにも適用することができる。
【００４４】
また、上記実施形態のギアド圧縮機は、３つの圧縮部を有する構成としたが、これに限ることはなく、２本の従動軸の両端に圧縮部を設けてもよい。
また、ピニオン歯車は２つに限ることはなく、例えば、大歯車の上方に３つ目のピニオン歯車を配置してもよい。
【産業上の利用可能性】
【００４５】
本発明は、大歯車とピニオン歯車とからなる歯車列を備えた、ギアド圧縮機、タービンなどの回転機械に適用することができる。
【符号の説明】
【００４６】
１    ギアド圧縮機
２    回転駆動部
３    駆動軸
４    大歯車
５    従動軸
５ａ  低圧段従動軸
５ｂ  高圧段従動軸
６    ピニオン歯車（ピニオン）
６ａ  低圧段ピニオン歯車
６ｂ  高圧段ピニオン歯車
７    つり合い重り
８    配管
９    ギアケーシング
１１  第一段圧縮部
１２  第二段圧縮部
１３  第三段圧縮部
１４  インペラ
１５  駆動軸用軸受
１６  従動軸用軸受
１７  軸受パッド
１９  下部ケーシング
２０  上部ケーシング
２１  フランジ部
２３  第一軸受固定部
２３ａ  軸受固定部下半部
２３ｂ  軸受固定部上半部
２４  第二軸受固定部
２４ａ  軸受固定部下半部
２４ｂ  軸受固定部上半部
２７  油溝
２８  第一バッフルプレート（プレート）
２９  折曲部
３０  第二バッフルプレート（第二プレート）
３１  第三バッフルプレート（第三プレート）
３３  油切り
３４  切欠リング
３５  カバー
【図１】
2015033438.tif 000003
【図２】
2015033438.tif 000004
【図３】
2015033438.tif 000005
【図４】
2015033438.tif 000006
【図５】
2015033438.tif 000007
【図６】
2015033438.tif 000008
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
回転駆動部と、
前記回転駆動部によって水平方向に延びる軸線まわりに回転される駆動軸と、
前記駆動軸に固定された大歯車と、
前記駆動軸を回転可能に支持し、潤滑油が供給されている軸受部と、
前記大歯車と噛み合って従動する複数のピニオンと、
前記複数のピニオンに対応するように設けられて、前記ピニオンによってそれぞれ回転する複数の圧縮部と、
前記軸受部と前記大歯車との間に配置されて、前記大歯車と前記軸受部とを隔離するように前記大歯車の下半分の少なくとも一部の領域を覆う第一プレートと、
前記ピニオンが固定された従動軸を回転可能に支持する従動軸用軸受部と、
前記従動軸用軸受部の下半部と前記大歯車との間に前記第一プレートから独立して配置されて、前記大歯車と前記従動軸用軸受部とを隔離する第三プレートと、を備えることを特徴とする回転機械。
【請求項２】
前記第一プレートの下端は前記大歯車の下端よりも下方に延びていることを特徴とする請求項１に記載の回転機械。
【請求項３】
前記軸受部の上半部と前記大歯車との間に配置されて、前記大歯車と前記軸受部とを隔離する第二プレートを備えることを特徴とする請求項１又は請求項２に記載の回転機械。
【請求項４】
前記軸受部を支持するケーシングを備え、
前記ケーシングには、前記軸受部から前記軸受部の軸方向他方側に排出される排油を前記第一プレートが配置されている前記軸受部の軸方向一方側に導く油溝が形成されていることを特徴とする請求項１から請求項３のいずれか一項に記載の回転機械。
【手続補正２】
【補正対象書類名】明細書
【補正対象項目名】０００９
【補正方法】変更
【補正の内容】
【０００９】
本発明の回転機械は、回転駆動部と、前記回転駆動部によって水平方向に延びる軸線まわりに回転される駆動軸と、前記駆動軸に固定された大歯車と、前記駆動軸を回転可能に支持し、潤滑油が供給されている軸受部と、前記大歯車と噛み合って従動する複数のピニオンと、前記複数のピニオンに対応するように設けられて、前記ピニオンによってそれぞれ回転する複数の圧縮部と、前記軸受部と前記大歯車との間に配置されて、前記大歯車と前記軸受部とを隔離するように前記大歯車の下半分の少なくとも一部の領域を覆う第一プレートと、前記ピニオンが固定された従動軸を回転可能に支持する従動軸用軸受部と、前記従動軸用軸受部の下半部と前記大歯車との間に前記第一プレートから独立して配置されて、前記大歯車と前記従動軸用軸受部とを隔離する第三プレートと、を備える。
【手続補正３】
【補正対象書類名】明細書
【補正対象項目名】００１０
【補正方法】変更
【補正の内容】
【００１０】
上記構成によれば、第一プレートによって軸受部から排出される排油が大歯車の下半部に降りかかって付着することが防止される。これにより、大歯車に排油が付着することによる、大歯車が回転する際の動力損失を低減することができる。
また、第三プレートによって、従動軸用軸受部から排出される排油が大歯車に付着することを防止することができる。
【手続補正４】
【補正対象書類名】明細書
【補正対象項目名】００１１
【補正方法】変更
【補正の内容】
【００１１】
上記回転機械において、前記第一プレートの下端は前記大歯車の下端よりも下方に延びていることが好ましい。
上記構成によれば、排油の大歯車への付着をより防止することができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
上記回転機械において、前記軸受部を支持するケーシングを備え、前記ケーシングには、前記軸受部から前記軸受部の軸方向他方側に排出される排油を前記第一プレートが配置されている前記軸受部の軸方向一方側に導く油溝が形成されている構成としてもよい。
【国際調査報告】
2015033438.tif 000009
2015033438.tif 000010
2015033438.tif 000011
2015033438.tif 000012